(57)【要約】【課題】  複数のレーザ光を同一光軸上に照射し、この際の反射波の光軸ずれを波面変換することで調整誤差を補正し、信頼性の高い受光処理を行う光ピックアップ装置を提供。【解決手段】  第１レーザ光を照射する第１照射部と、第１レーザ光とは異なる波長の第２レーザ光を、第１レーザ光と同一の光軸上に照射する第２照射部と、第１及び第２照射部が照射した第１及び第２レーザ光を集光して情報記憶媒体へ出射する対物レンズと、情報記録媒体からの第１及び第２レーザ光の各反射光の進路上に配置され、第１及び第２レーザ光の反射光を受け少なくとも一方を選択的に波面変換する波面変換部と、波面変換部を通過した第１及び第２レーザ光の反射光の少なくとも一方を受光し、これに応じた検出信号を出力する受光部とを有する光ピックアップ装置。【選択図】図１
2006040479.tif 000002
【特許請求の範囲】
【請求項１】
第１レーザ光を照射する第１照射部と、
前記第１レーザ光とは異なる波長の第２レーザ光を、前記第１レーザ光と同一の光軸上に照射する第２照射部と、
前記第１及び第２照射部が照射した前記第１及び第２レーザ光を集光して情報記憶媒体へ出射する対物レンズと、
前記情報記録媒体からの前記第１及び第２レーザ光の各反射光の進路上に配置され、前記第１及び第２レーザ光の反射光を受け少なくとも一方を選択的に波面変換する波面変換部と、
前記波面変換部を通過した前記第１及び第２レーザ光の反射光の少なくとも一方を受光し、これに応じた検出信号を出力する受光部と、
を具備することを特徴とする光ピックアップ装置。
【請求項２】
前記第１レーザ光と前記第２レーザ光とは、プリズムを用いることで、同一の光軸上に照射されることを特徴とする請求項１記載の光ピックアップ装置。
【請求項３】
前記波面変換部は、ホログラムであることを特徴とする請求項１記載の光ピックアップ装置。
【請求項４】
前記波面変換部は、レーザ光の波長に応じて選択的に波面変換する、波長選択性を有することを特徴とする請求項１記載の光ピックアップ装置。
【請求項５】
前記波面変換部は、前記第１レーザ光及び前記第２レーザ光をそれぞれ異なる波面変換率で波面変換することを特徴とする請求項１記載の光ピックアップ装置。
【請求項６】
前記第１及び第２レーザ光とは異なる波長の第３レーザ光を照射する第３照射部を更に有しており、
前記波面変換部は、前記第１乃至第３レーザ光の少なくとも一つを波面変換し、
前記受光部は、前記波面変換部を通過した前記第１乃至第３レーザ光の反射光の少なくとも一方を受光して検出信号を出力することを特徴とする請求項１記載の光ピックアップ装置。
【請求項７】
前記波面変換部は、前記第１レーザ光を波面変換せず、前記第２及び第３レーザ光のみを波面変換することを特徴とする請求項６記載の光ピックアップ装置。
【請求項８】
前記第１レーザ光は４４０ｎｍ以下、前記第２レーザ光は６００〜７００ｎｍ、前記第３レーザ光は７００ｎｍ以上であることを特徴とする請求項６記載の光ピックアップ装置。
【請求項９】
前記第１照明部と前記第２照明部とは同一のパッケージ中に設けられることを特徴とする請求項１記載の光ピックアップ装置。
【請求項１０】
前記受光部は、前記第１及び第２レーザ光を複数の異なる受光部でそれぞれ受光することを特徴とする請求項１記載の光ピックアップ装置。
【請求項１１】
第１レーザ光を照射する第１照射部と、
前記第１レーザ光とは異なる波長の第２レーザ光を照射する第２照射部と、
前記第１及び第２照射部が照射した前記第１及び第２レーザ光を集光して情報記憶媒体へ出射する対物レンズと、
前記情報記録媒体からの前記第１及び第２レーザ光の各反射光の進路上に配置され、前記第１及び第２レーザ光の反射光を受け少なくとも一方を選択的に波面変換する波面変換部と、
前記波面変換部を通過した前記第１及び第２レーザ光の反射光の少なくとも一方を受光し、これに応じた検出信号を出力する受光部と、
前記受光部で受光した前記検出信号に基づいて、前記情報記録媒体に対して、記録処理又は再生処理を行う処理部とを具備することを特徴とする光ディスク装置。
【請求項１２】
前記第１レーザ光と前記第２レーザ光とは、プリズムを用いることで、同一の光軸上に照射されることを特徴とする請求項１１記載の光ディスク装置。
【請求項１３】
前記波面変換部は、ホログラムであることを特徴とする請求項１１記載の光ディスク装置。
【請求項１４】
前記波面変換部は、レーザ光の波長に応じて選択的に波面変換する、波長選択性を有することを特徴とする請求項１１記載の光ディスク装置。
【請求項１５】
前記波面変換部は、前記第１レーザ光及び前記第２レーザ光をそれぞれ異なる波面変換率で波面変換することを特徴とする請求項１１記載の光ディスク装置。
【請求項１６】
前記第１及び第２レーザ光とは異なる波長の第３レーザ光を照射する第３照射部を更に有しており、
前記波面変換部は、前記第１乃至第３レーザ光の少なくとも一つを波面変換し、
前記受光部は、前記波面変換部を通過した前記第１乃至第３レーザ光の反射光の少なくとも一方を受光して検出信号を出力することを特徴とする請求項１１記載の光ディスク装置。
【請求項１７】
前記波面変換部は、前記第１レーザ光を波面変換せず、前記第２及び第３レーザ光のみを波面変換することを特徴とする請求項１６記載の光ディスク装置。
【請求項１８】
前記第１レーザ光は４４０ｎｍ以下、前記第２レーザ光は６００〜７００ｎｍ、前記第３レーザ光は７００ｎｍ以上であることを特徴とする請求項１６記載の光ディスク装置。
【請求項１９】
前記第１照明部と前記第２照明部とは同一のパッケージ中に設けられることを特徴とする請求項１１記載の光ディスク装置。
【請求項２０】
前記受光部は、前記第１及び第２レーザ光を複数の異なる受光部でそれぞれ受光することを特徴とする請求項１１記載の光ディスク装置。
【発明の詳細な説明】
【技術分野】
【０００１】
この発明は、複数のレーザ光を照射して複数種類の情報記録媒体を扱う光ピックアップ装置及び光ディスク装置に関し、特に、各レーザ光の反射光を適宜波面変換して受光する光ピックアップ装置及び光ディスク装置に関する。
【背景技術】
【０００２】
最近、光ディスクを用いた光ディスク記録再生装置が広く普及してきており、一層の記録情報の高密度化が要求される中、例えば、ＤＶＤ（Digital Versatile Disc）等と、他のディスクのように複数種類のディスクを一つの光ピックアップで扱う例が知られている。
【０００３】
特許文献１は、ＣＤ（Compact Disc）とＤＶＤを一つの光ピックアップで再生する場合を説明しているが、ここでは、二つのレーザ光は、一定の距離を保ちながら平衡して照射され、同じく、反射光も一定の距離を保ちながら平衡して光検出器に受光される。
【特許文献１】特開２００４−１０３２２５号公報
【発明の開示】
【発明が解決しようとする課題】
【０００４】
ここで、特許文献１においては、二つのレーザ光が設計上の異なる光軸にて放射されており、この二つのレーザ光の反射光を光検出器へと光路変更させるものである。しかし、レーザ光を同一光軸上に合成させる場合については述べられておらず、その場合の反射波の微細なずれに対する波面変換についても示されていないという問題がある。
【０００５】
本発明は、複数のレーザ光を同一光軸上に照射し、この際の反射波の光軸ずれを波面変換することで調整誤差を補正し、信頼性の高い反射波の受光処理を行う光ピックアップ装置及び光ディスク装置を提供することを目的とする。
【課題を解決するための手段】
【０００６】
本発明に係る一実施形態は、第１レーザ光を照射する第１照射部と、前記第１レーザ光とは異なる波長の第２レーザ光を、前記第１レーザ光と同一の光軸上に照射する第２照射部と、前記第１及び第２照射部が照射した前記第１及び第２レーザ光を集光して情報記憶媒体へ出射する対物レンズと、前記情報記録媒体からの前記第１及び第２レーザ光の各反射光の進路上に配置され、前記第１及び第２レーザ光の反射光を受け少なくとも一方を選択的に波面変換する波面変換部と、前記波面変換部を通過した前記第１及び第２レーザ光の反射光の少なくとも一方を受光し、これに応じた検出信号を出力する受光部とを具備することを特徴とする光ピックアップ装置である。
【発明の効果】
【０００７】
本発明に係る一実施形態は、同一の光軸上に照射される複数のレーザ光の反射波に対して、一方のレーザ光を受光部に位置合わせる際に、二つのレーザ光の反射波の進路は完全に一致せずに、調整誤差として、他方のレーザ光に僅かのずれが残ってしまうが、残りのレーザ光を波面変換して、同一の受光部に誘導するものである。この場合、波面変換部は波長選択性をもっており所望の波面変換率により、二つのレーザ光の反射光の調整誤差を補正するものである。
【発明を実施するための最良の形態】
【０００８】
以下、図面を参照しながら本発明に係る光ピックアップ装置及びこれを適用した光ディスク装置の一実施の形態を詳細に説明する。図１は、本発明の一実施形態である光ピックアップ装置の一例を示す説明図、図２は、本発明の一実施形態である光ピックアップ装置の反射光を扱う波面変換部及び光検出部の一例を示す説明図、図３は、本発明の一実施形態である光ピックアップ装置の他の一例を示す説明図、図４は、本発明の一実施形態である光ピックアップ装置の反射光を扱う波面変換部及び光検出部の他の一例を示す説明図、図５は、本発明の一実施形態である光ピックアップ装置の他の一例を示す説明図、図６は、本発明の一実施形態である光ピックアップ装置の反射光を扱う波面変換部及び光検出部の他の一例を示す説明図、図７は、本発明の一実施形態である光ピックアップ装置の反射光を扱う波面変換部及び光検出部の他の一例を示す説明図、図８は、複数のレーザ光による相対傾角が示される対物レンズの一例を示す図、図９は、複数のレーザ光による反射光と検出部の関係の一例を示す説明図、図１０は、本発明の一実施形態である光ピックアップ装置を用いた光ディスク装置の構成の一例を示すブロック図である。
【０００９】
＜光ピックアップ装置＞
以下に、本発明に係る主に光ディスク装置に用いられる光ピックアップ装置を図面を用いて詳細に説明する。
【００１０】
この実施形態では相変化型光ディスクについて述べるが、光透過層を有する情報記憶媒体用の光ピックアップに対して広く適用可能であり、記録及び再生の対象となる情報記憶媒体は再生専用光ディスク、光磁気ディスク又は光カード等であっても良い。
【００１１】
本発明に係る光ピックアップ装置ＰＵは、図１に示すように、光ディスクＤ等の情報記憶媒体と、これを回転させるスピンドルモータ１２とを有しており、所定の回転数で情報記憶媒体を回転させる。更に光ピックアップヘッドＰＵが記録再生する光ディスクＤは、記録再生層の面Ｄａを保護するために光透過層を有している。
【００１２】
又、この光ピックアップ装置ＰＵにおいて、３つの異なる波長の光源を持つ場合について説明を行うが、４つ以上の異なる波長の光源を持つ場合にも同様である。光ピックアップ装置ＰＵは、異なる波長をもつ光源２１（第１波長）と、光源２２（第２波長）、光源２３（第３波長）を有している。ここで、各光源の一実施形態として、第１波長を４０５ｎｍ付近（高密度ＤＶＤ）、第２波長を６６０ｎｍ付近（ＤＶＤ）、第３波長を７８５ｎｍ付近（ＣＤ）を想定することができるがこの限りではない。例えば、第１レーザ光は４４０ｎｍ以下、第２レーザ光は６００〜７００ｎｍ、第３レーザ光は７００ｎｍ以上であるという場合も好適である。
【００１３】
又、更に、光ピックアップ装置ＰＵにおいて、ダイクロイックプリズム２０，２０−２により、ここから照射されたレーザ光は、略同一光軸上に合成している。又、更に、光ピックアップ装置ＰＵにおいて、このレーザ光は、コリメータレンズ１９で平行光となり偏光ビームスプリッタ１５、λ/４板１４を通ってから対物レンズ１３で集光され、スピンドルモータ１２によって回転している光ディスクＤに入射する。光ディスク表面から入射した光は、記録再生層面Ｄａに集光される。記録再生層面Ｄａで反射された光は、先ほどとは逆に、対物レンズ１３、λ/４板１４を通った後に、偏光ビームスプリッタ１５にて反射される。反射された光は集光レンズ１６にて集光された後、波長選択性をもつ波面変換部１７により波長が識別されて、二つの反射波の光軸誤差を補正され、例えば、光検出器１８上にて受光される。
【００１４】
なお、この波面変換部１７の具体的な構成の一例は、特定の波長のみに対して、例えば、所定回折率（波面変換率）で回折するホログラムである。波面変換部１７がホログラムの場合、所定波長の反射波を選択的に波面変換する層を複数有しており、これらの複数の層が一つのホログラムを形成する。そして、このホログラムは、複数種類の波長に対して、それぞれの層が専用の回折率（波面変換率）で回折することにより、複数の波長の異なるレーザ光を任意に波面変換し、分離することができる。
【００１５】
すなわち、理論的には対物レンズ１３から出射し、光ディスクＤに入射する光の３つの光軸は、略一致している。しかし、図９に示すように、例えば、組立調整誤差等により、第１レーザ光Ｌ１の光源２１、第１レーザ光Ｌ２の光源２２、第１レーザ光Ｌ３の光源２３の位置は誤差を含んでいるため、図８に示すように対物レンズ１３から出射する段階で、一致しない場合があり、これを相対傾角と呼ぶ。この相対傾角が存在すると図９に示すように、集光レンズ１６で集光された光は、光検出器１８に正確に入射するレーザ光Ｌ２とそうでないレーザ光Ｌ１，Ｌ３ができてしまう。
【００１６】
そこで、図２に示すように、集光レンズ１６と光検出器１８の間に、波長選択性をもつ波面変換部１７を挿入して、レーザ光を波長に基づいて選択的に変換する。一例として、中心を通っている第１波長のレーザ光Ｌ１に対しては波面変換部１７は波面を変化させず、そのまま素通しする。
【００１７】
一方、レーザ光Ｌ２，レーザ光Ｌ３の波長に対しては、波面を変換し、回折変換作用、又は、集光作用の一方、又は、その両方の作用を及ぼすことで、光検出器１８に導くことが可能となる。これにより、理論上では略同一光軸上にある３つの異なる波長をもつ光ピックアップにおいて、組立調整誤差によって生じる相対傾角がある場合でも、波面変換部１７の回折率、又は、集光の角度や方向を調整することによって、レーザ光を光検出器上に導くことができる。
【００１８】
なお、図１，図２の実施形態では、波面を変換しない第１波長を最も短い波長と想定し、第２・第３波長に対して波面を変換しているが、これは第１波長を４０５ｎｍ付近、第２波長を６６０ｎｍ付近、第３波長を７８５ｎｍ付近を想定した場合に、第１波長に対して、第２波長と第３波長の差が少ないことから、第２波長と第３波長における相対傾角の差による光検出器上での誤差が少ないと見積もったためである。従って、どの波長に対して、波面を変換するかということに関しては他の組み合わせを用いることが可能である。
【００１９】
（レーザ光が２つの場合）
次に、レーザ光が２つの場合の光ピックアップ装置ＰＵの実施形態を図３及び図４を用いて以下に説明する。すなわち、レーザ光は、例えば、図１の実施形態に限らず、レーザ光が２つの場合も可能であり、例えば、第１波長を４０５ｎｍ付近（高密度ＤＶＤ）、第２波長を６６０ｎｍ付近（ＤＶＤ）としたり、第１波長を６６０ｎｍ付近（ＤＶＤ）、第２波長を７８５ｎｍ付近（ＣＤ）としたり、適宜、任意に設定することが可能である。図４に、この場合の波面変換部及び光検出部の一例を示す。
【００２０】
（２つのレーザ光源が一つのカートリッジ内に格納）
次に、図５に示すように、２つのレーザ光源が一つのカートリッジ２２−２内に格納されることも好適である。又、このとき、２つのレーザ光源に対して、一つのダイクロイックプリズム２０−３を用いることも好適である。こうすることで、ピックアップ装置ＰＵの機械的スペースを少なく済ませることができ集積密度を向上させることができる。
【００２１】
（レーザ光毎に分離した受光部のための波面変換部）
次に、レーザ光毎に分離した受光部をもつ波面変換部を、図６を用いて詳細に説明する。すなわち、各レーザ光Ｌ１，Ｌ２，Ｌ３に対して、図６に示すように、各レーザ光Ｌ１，Ｌ２，Ｌ３の波長にあわせて、それぞれ異なる回折率（波面）で回折させ（又はレンズで集光させ）、レーザ光Ｌ１，Ｌ２，Ｌ３を、受光部１８−２の専用の各受光部にそれぞれ誘導することが好適である。こうすることにより、受光部１８−２では、それぞれのレーザ光Ｌ１，Ｌ２，Ｌ３をそれぞれ独立して検出することが可能となる。従って、例えば、レーザ光源２１，２２，２３（又は図５に示すレーザ光源２２−２，２３）から、同時にレーザ光Ｌ１，Ｌ２，Ｌ３を照射することが可能となり、これにより、例えば、複数のレーザ光からチルトを検出することも可能となる。
【００２２】
（レンズによる波面変換）
次に波面変換部において、図７の波面変換部２４のように、レンズによる所望の波面変換を行う場合の実施形態について説明する。すなわち、どのレーザ光をどれだけ方向を変えたいかに応じて、偏向させたいレーザ光の集光率に応じてレンズを選択し、集光させたいレーザ光の波長に応じてレンズに適宜、溝をつけることでにより、レンズによる波面変換部２４が可能となり、上述したホログラムの場合と同様の働きを示すものである。
【００２３】
以上、多様な形態により、本発明の一実施形態に係る波面変換部が可能となるものであり、これにより、同時に複数のレーザ光をレーザ光源２１，２２，２３から照射することも可能となる。
【００２４】
＜光ディスク装置＞
次に、上述した光ピックアップ装置を用いた情報記録再生装置の一例として、光ディスク装置を例にあげて説明する。
【００２５】
（光ディスク装置の基本構成）
図１０において、本発明に係る光ピックアップ装置を用いた光ディスク装置Ａは光ディスクＤに対するデータ記録又はデータ再生を行うものである。上記光ディスク装置Ａは、ディスクカートリッジに収納された光ディスクＤを搬送するトレー３２と、このトレーを駆動するモータ３３と、光ディスクＤを保持するクランパ３４と、これにより保持された光ディスクＤを所定回転数で回転させるスピンドルモータ１２とを有している。更に、制御部として全体の動作制御を行うＣＰＵ４６と、この制御動作の基本的なプログラム等を格納するＲＯＭ４７と、各制御プログラムやアプリケーションデータ等を書替可能に格納するＲＡＭ４８とが制御バスを介して接続されている。更にこれらのＣＰＵ４６等の制御部にそれぞれ接続されて、ピックアップＰＵの搬送を行う送りモータ３６と、ピックアップのフォーカスやトラッキング制御を行うフォーカス／トラッキングアクチュエータドライバ／送りモータドライバ４０、更にスピンドルモータ１２を駆動するスピンドルモータドライバ４１、トレーモータを駆動するトレーモータドライバ４２がそれぞれ設けられている。
【００２６】
又、更に、ピックアップヘッドＰＵに接続され検出信号を増幅するプリアンプ３０と、サーボアンプ３８，更にシーク動作を行うためのシーク信号をドライバに供給するサーボシーク制御ユニット３９とを有している。更にピックアップヘッドＰＵとプリアンプ３０、サーボシーク制御ユニット３９等に接続され、検出信号及び記録信号を処理するためのデータ処理ユニット１、この各種処理に用いるデータを格納するためのＲＡＭ４３が設けられている。このデータ処理ユニット１からの信号を外部装置との間で送受信するべく、インタフェース制御部４５がＲＡＭ４４を伴って設けられている。
【００２７】
（光ディスク装置の基本動作）
このような構成を有する本発明の光ピックアップ装置が適用される光ディスク装置は、以下のように光ディスクの再生処理及び記録処理を行う。すなわち、光ディスクＤが光ディスク装置Ａへ装填されると、ピックアップヘッドＰＵとデータ処理ユニット１を用いて、光ディスクＤのリードインエリアのエンボスデータゾーン内のコントロールデータゾーンに記録されている光ディスクＤの制御情報が読み取られ、ＣＰＵ４６に供給されるようになっている。
【００２８】
本発明の光ピックアップ装置が適用される光ディスク装置Ａでは、ユーザの操作による操作情報や光ディスク内のコントロールデータゾーンに記録されている光ディスクＤの制御情報、現在のステータス等に基づいて、ＣＰＵ４６の制御下において、ＬＤ光源２１〜２３によって付勢されてレーザ光を発生する。
【００２９】
発生したレーザ光は、対物レンズ１３により収束され、光ディスクＤの記録領域へと照射される。これにより、光ディスクＤの記憶領域にデータが記録され（マーク列の生成：可変長のマークとマークの間隔と、可変長の各マークの長さにより光ディスクＤにデータが記録される）、或いは、格納されているデータに対応する強度の光が反射されこれが検出されて、このデータの再生が行われる。
【００３０】
図１０ではピックアップヘッドＰＵに含まれるレーザ制御ユニットは、データ処理ユニット１によってその設定がセットされるが、その設定は、再生信号ＲＦを得る再生パワー、データを記録する記録パワー及びデータを消去する消去パワーで異なっている。レーザ光は、再生パワー、記録パワー及び消去パワーの３つのパワーでそれぞれ異なるレベルのパワーを有し、それぞれのパワーのレーザ光が発生されるように半導体レーザユニットがレーザ制御ユニットによって付勢される。
【００３１】
このレーザ制御ユニットは、図示しない抵抗とトランジスタにより構成され、電源電圧が抵抗とトランジスタと半導体レーザユニットとしての半導体レーザに印加されるようになっている。これにより、トランジスタのベース電流により増幅率が異なり、半導体レーザ発振器に異なる電流が流れ、強度の異なったレーザ光が発生されるようになっている。
【００３２】
又、光ディスクＤが対物レンズ１３に対向して配置されるように、この光ディスクＤは、直接或いはディスクカートリッジに収納されてトレー３２によって装置内に搬送される。このトレー３２を駆動するためのトレーモータ３３が装置内に設けられている。又、装填された光ディスクＤは、クランパ３４によって回転可能にスピンドルモータ１２上に保持され、このスピンドルモータ１２によって所定回転数に回転される。
【００３３】
ピックアップヘッドＰＵは、その内にレーザ光を検出する光検出器１８を有している。この光検出器１８は、光ディスクＤで反射されて対物レンズ１３を介して戻されたレーザ光を検出する。
【００３４】
又、この検出信号は、プリアンプ３０及びサーボアンプ３４に供給される。プリアンプ３０からは、ヘッダ部のデータの再生用と記録領域のデータの再生用信号がデータ処理ユニット１に出力される。サーボアンプ３４からのトラックエラー信号は、サーボシーク制御ユニット３９に出力される。
【００３５】
ここで、フォーカスずれ量を光学的に検出する方法としては、非点収差法や上述したナイフエッジ法があるが、他のフォーカス制御方法も同様に本発明に適用することができる。
【００３６】
光ディスクＤはスパイラル状又は同心円状のトラックを有し、トラック上に情報が記録される。このトラックに沿って集光スポットをトレースさせて情報の再生又は記録／消去を行う。安定して集光スポットをトラックに沿ってトレースさせるため、トラックと集光スポットの相対的位置ずれを光学的に検出する必要がある。
【００３７】
このトラック制御により、サーボシーク制御ユニット３９からトラッキング信号及び送り信号が上述したレンズアクチュエータドライバ１１及びトラッキングアクチュエータドライバ並びに送りモータドライバ４０に送られ、このドライバ４０によってトラッキングサーボ制御される。更に、アクセス信号に応じてドライバ４０から付勢信号が送りモータ３６に供給されピックアップヘッドＰＵが搬送制御される。
【００３８】
又、サーボシーク制御ユニット３９は、データ処理ユニット１によって制御される。例えば、データ処理ユニット１からアクセス信号がサーボシーク制御ユニット３９に供給されて送り信号が生成される。
【００３９】
又、データ処理ユニット１からの制御信号でスピンドルモータドライバ４１及びトレーモータドライバ４２が制御され、スピンドルモータ１２及びトレーモータ３３が付勢され、スピンドルモータ１２が所定回転数で回転され、トレーモータ３３がトレーを適切に制御することとなる。
【００４０】
データ処理ユニット１に供給されたヘッダ部のデータに対応する再生信号ＲＦは、ＣＰＵ４６に供給される。これによりＣＰＵ４６は、その再生信号ＲＦによりヘッダ部のアドレスとしてのセクタ番号を判断し、アクセスする（データを記録する又は記録されているデータを再生する）アドレスとしてのセクタ番号との比較を行うようになっている。
【００４１】
データ処理ユニット１に供給された記録領域のデータに対応する再生信号ＲＦは、ＲＡＭ４８に必要なデータが格納され、再生信号ＲＦがこのデータ処理ユニット１で処理されてインタフェース制御部４５に供給され、例えばパーソナルコンピュータ等の外部装置に再生処理信号が供給される。
【００４２】
このように、本発明に係る光ピックアップ装置を適用することにより、同一の光軸上に照射される複数のレーザ光の反射波に対して、一方のレーザ光を受光部に位置合わせる際に、二つのレーザ光の反射波の進路の調整誤差を補正するべく、波長選択性のもった波面変換部により残りの反射波をも受光部に確実に誘導することで、信頼性の高い受光処理を行い、確実な記録処理及び再生処理を実現するものである。
【００４３】
以上詳述したように本発明によれば、光ディスクの光透過層の面と記録再生層の面とを区別して安定したフォーカス動作を行うことができる光ピックアップ装置及び光ディスク装置とその方法を提供する。
【００４４】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００４５】
【図１】本発明の一実施形態である光ピックアップ装置の一例を示す説明図。
【図２】本発明の一実施形態である光ピックアップ装置の反射光を扱う波面変換部及び光検出部の一例を示す説明図。
【図３】本発明の一実施形態である光ピックアップ装置の他の一例を示す説明図。
【図４】本発明の一実施形態である光ピックアップ装置の反射光を扱う波面変換部及び光検出部の他の一例を示す説明図。
【図５】本発明の一実施形態である光ピックアップ装置の他の一例を示す説明図。
【図６】本発明の一実施形態である光ピックアップ装置の反射光を扱う波面変換部及び光検出部の他の一例を示す説明図。
【図７】本発明の一実施形態である光ピックアップ装置の反射光を扱う波面変換部及び光検出部の他の一例を示す説明図。
【図８】複数のレーザ光による相対傾角が示される対物レンズの一例を示す図。
【図９】複数のレーザ光による反射光と検出部の関係の一例を示す説明図。
【図１０】本発明の一実施形態である光ピックアップ装置を用いた光ディスク装置の構成の一例を示すブロック図。
【符号の説明】
【００４６】
Ｄ…光ディスク、Ｄａ…光ディスクの記録再生層の面、１３…対物レンズ、１４…λ／４波長板、１５…偏向ビームスプリッタ、１６…検出レンズ、１７…波面変換素子、１８…光検出器、１９…コリメータレンズ、２０…ダイクロイックプリズム、２１，２２，２３…ＬＤ光源。
【図１】
2006040479.tif 000003
【図２】
2006040479.tif 000004
【図３】
2006040479.tif 000005
【図４】
2006040479.tif 000006
【図５】
2006040479.tif 000007
【図６】
2006040479.tif 000008
【図７】
2006040479.tif 000009
【図８】
2006040479.tif 000010
【図９】
2006040479.tif 000011
【図１０】
2006040479.tif 000012